(57)【要約】      （修正有）【課題】網点領域が存在する画像データの文字画像を文字に置き換える場合に視認性を改善する画像処理装置を提供する。【解決手段】網点領域検知部２０５は、画像データのうち、文字画像の背景に網点領域が有るか否かを検知する。網点画像取得部２０７は、網点領域のうち、一方の方向のサイズが、当該網点領域を構成する一つの網点画像データのサイズであり、一方の方向と垂直な他方の方向のサイズが、文字画像データの他方の方向のサイズに対応するサイズである帯状網点画像データを取得する。網点画像置換部２０８は、文字画像データを含む領域で、且つ、一方の方向のサイズが、一つの網点画像データの一方の方向のサイズの倍数である特定領域を、帯状網点画像データを一方の方向に倍数だけ直列させたデータに置き換える。文字置換部２０６は、置き換えられた帯状網点画像データの上に、認識された文字データを配置する。【選択図】図２
2016032249.tif 000002
【特許請求の範囲】
【請求項１】
画像データのうち、文字を構成する文字画像データを、当該文字画像データから認識された文字データに置き換える際に、前記文字データに置き換えられる文字画像データの背景に網点領域が有るか否かを検知する網点領域検知部と、
前記網点領域が有る場合に、前記網点領域のうち、一方の方向のサイズが、当該網点領域を構成する一つの網点画像データのサイズであり、前記一方の方向と垂直な他方の方向のサイズが、前記文字画像データの他方の方向のサイズに対応するサイズである帯状網点画像データを取得する網点画像取得部と、
前記文字画像データを含む領域で、且つ、一方の方向のサイズが、前記一つの網点画像データの一方の方向のサイズの倍数である特定領域を、前記帯状網点画像データを一方の方向に前記倍数だけ直列させたデータに置き換える網点画像置換部と、
前記置き換えられた帯状網点画像データの上に、前記認識された文字データを配置する文字置換部と、
を備えることを特徴とする画像処理装置。
【請求項２】
前記網点画像取得部は、前記画像データの読み取り時における主走査方向を一方の方向とし、副走査方向を他方の方向とする
請求項１に記載の画像処理装置。
【請求項３】
前記帯状網点画像データの他方の方向のサイズは、一つの網点画像データの他方の方向のサイズの倍数とされる
請求項１又は２に記載の画像処理装置。
【請求項４】
前記文字置換部は、前記認識されたフォントで前記文字データを生成し、前記置き換えられた帯状網点画像データの上に、当該生成した文字データを配置する
請求項１−３のいずれか一項に記載の画像処理装置。
【請求項５】
画像データのうち、文字を構成する文字画像データを、当該文字画像データから認識された文字データに置き換える際に、前記文字データに置き換えられる文字画像データの背景に網点領域が有るか否かを検知する網点領域検知ステップと、
前記網点領域が有る場合に、前記網点領域のうち、一方の方向のサイズが、当該網点領域を構成する一つの網点画像データのサイズであり、前記一方の方向と垂直な他方の方向のサイズが、前記文字画像データの他方の方向のサイズに対応するサイズである帯状網点画像データを取得する網点画像取得ステップと、
前記文字画像データを含む領域で、且つ、一方の方向のサイズが、前記一つの網点画像データの一方の方向のサイズの倍数である特定領域を、前記帯状網点画像データを一方の方向に前記倍数だけ直列させたデータに置き換える網点画像置換ステップと、
前記置き換えられた帯状網点画像データの上に、前記認識された文字データを配置する文字置換ステップと、
を備えることを特徴とする画像処理方法。
【発明の詳細な説明】
【技術分野】
【０００１】
本発明は、画像処理装置及び画像処理方法に関する。
【背景技術】
【０００２】
近年、手書き文字や印刷物の文字を光学的に読み取り、当該読み取った文字画像データと、予め登録された文字パターンとを照合して、文字データを特定する光学文字認識（ＯＣＲ）機能を備えた複写機、複合機等の画像処理装置が登場している。このような画像処理装置において、例えば、特開２００５−２０８８７２号公報（特許文献１）、特開２００２−２０７９６５号公報（特許文献２）、特開平１１−２０３４００号公報（特許文献３）、特開平１１−０８５９０８号公報（特許文献４）、特開平０５−１２０４９２号公報（特許文献５）、特開平０５−１２０４６９号公報（特許文献６）には、ＯＣＲ機能により認識された文字に、フォントのテンプレートをマッチングしたり、相関関数を適用したりして、文字のフォントを抽出する技術が存在する。
【０００３】
又、特開２００６−２５１９０２号公報（特許文献７）には、文書の背景となる色や模様などの体裁を維持しつつ、文字の部分だけを別の言語に翻訳された新たな文字に差し替える技術が開示されている。
【先行技術文献】
【特許文献】
【０００４】
【特許文献１】特開２００５−２０８８７２号公報
【特許文献２】特開２００２−２０７９６５号公報
【特許文献３】特開平１１−２０３４００号公報
【特許文献４】特開平１１−０８５９０８号公報
【特許文献５】特開平０５−１２０４９２号公報
【特許文献６】特開平０５−１２０４６９号公報
【特許文献７】特開２００６−２５１９０２号公報
【発明の概要】
【発明が解決しようとする課題】
【０００５】
しかしながら、上述した特許文献１−６に記載の技術では、どのような文字に置き換えても、置き換え先の背景が考慮されていない。そのため、背景に網点領域が設けられている画像データでは、文字の置き換えによって、置き換えた文字と、置き換え対象の文字画像との境界（隙間）に微妙な差分データが残る。すると、この差分データに置き換え対象の文字画像や背景の網点領域が現われ、文字を置き換えた画像データ全体に視覚的に違和感が生じ、当該置き換え後の文字の視認性の低下を招くという課題がある。又、上述した特許文献７に記載の技術でも、文字の置き換え先の背景を特に処理しておらず、同様の課題がある。
【０００６】
そこで、本発明は、前記課題を解決するためになされたものであり、網点領域が存在する画像データの文字画像を文字に置き換える場合に視認性を改善することが可能な画像処理装置及び画像処理方法を提供することを目的とする。
【課題を解決するための手段】
【０００７】
本発明の一の局面に係る画像処理装置は、網点領域検知部と、網点画像取得部と、網点画像置換部と、文字置換部と、を備える。網点領域検知部は、画像データのうち、文字を構成する文字画像データを、当該文字画像データから認識された文字データに置き換える際に、前記文字データに置き換えられる文字画像データの背景に網点領域が有るか否かを検知する。網点画像取得部は、前記網点領域が有る場合に、前記網点領域のうち、一方の方向のサイズが、当該網点領域を構成する一つの網点画像データのサイズであり、前記一方の方向と垂直な他方の方向のサイズが、前記文字画像データの他方の方向のサイズに対応するサイズである帯状網点画像データを取得する。網点画像置換部は、前記文字画像データを含む領域で、且つ、一方の方向のサイズが、前記一つの網点画像データの一方の方向のサイズの倍数である特定領域を、前記帯状網点画像データを一方の方向に前記倍数だけ直列させたデータに置き換える。文字置換部は、前記置き換えられた帯状網点画像データの上に、前記認識された文字データを配置する。
【０００８】
本発明の一の局面に係る画像処理方法は、網点領域検知ステップと、網点画像取得ステップと、網点画像置換ステップと、文字置換ステップと、を備える。網点領域検知ステップは、画像データのうち、文字を構成する文字画像データを、当該文字画像データから認識された文字データに置き換える際に、前記文字データに置き換えられる文字画像データの背景に網点領域が有るか否かを検知する。網点画像取得ステップは、前記網点領域が有る場合に、前記網点領域のうち、一方の方向のサイズが、当該網点領域を構成する一つの網点画像データのサイズであり、前記一方の方向と垂直な他方の方向のサイズが、前記文字画像データの他方の方向のサイズに対応するサイズである帯状網点画像データを取得する。網点画像置換ステップは、前記文字画像データを含む領域で、且つ、一方の方向のサイズが、前記一つの網点画像データの一方の方向のサイズの倍数である特定領域を、前記帯状網点画像データを一方の方向に前記倍数だけ直列させたデータに置き換える。文字置換ステップは、前記置き換えられた帯状網点画像データの上に、前記認識された文字データを配置する。
【発明の効果】
【０００９】
本発明の画像処理装置及び画像処理方法によれば、網点領域が存在する画像データの文字画像を文字に置き換える場合に視認性を改善することが可能となる。
【図面の簡単な説明】
【００１０】
【図１】本発明に係る複合機の内部の全体構成を示す概念図である。
【図２】本発明の実施形態における複合機の機能ブロック図である。
【図３】本発明の実施形態の実行手順を示すためのフローチャートである。
【図４】本発明の実施形態における画像データから網点領域を検知し、帯状網点画像データを取得する場合の一例を示す図である。
【図５】本発明の実施形態における文字画像データに帯状網点画像データを置き換えて、その上に文字データを配置する場合の一例を示す図である。
【発明を実施するための形態】
【００１１】
以下に、添付図面を参照して、本発明の画像処理装置及び画像処理方法の実施形態について説明し、本発明の理解に供する。尚、以下の実施形態は、本発明を具体化した一例であって、本発明の技術的範囲を限定する性格のものではない。又、フローチャートにおける数字の前に付されたアルファベットＳはステップを意味する。
【００１２】
以下に、本発明の実施形態の一例として、画像処理装置について説明する。尚、本発明の画像処理装置は、例えば、ファクシミリ、コピー、スキャナー、プリンター等の機能を備えた複合機（ＭＦＰ：Ｍｕｌｔｉ  Ｆｕｎｃｔｉｏｎ  Ｐｅｒｉｐｈｅｒａｌ）が該当する。
【００１３】
複合機１００は、図１に示すように、タッチパネルを含む操作部を介してユーザーから印刷ジョブの設定条件を受け付けると、画像読取部、画像処理部、搬送部、定着部等の各部を駆動し、当該印刷ジョブを提供する。又、複合機１００は、ユーザーの指示に対応して、画像読取及び画像出力の設定条件を受け付けると、原稿台又は自動原稿給送部に載置された原稿の画像データを読み取り、当該読み取った画像データを操作部に表示させたり、所定のメモリーに記憶させたりする。
【００１４】
尚、複合機１００の制御回路は、図示しないが、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＨＤＤ（Ｈａｒｄ  Ｄｉｓｋ  Ｄｒｉｖｅ）、各駆動部に対応するドライバを内部バスによって接続している。
【００１５】
複合機１００のＣＰＵは、例えば、ＲＡＭを作業領域として利用し、ＲＯＭ、ＨＤＤ等に記憶されているプログラムを実行し、当該実行結果に基づいてドライバからのデータ、指示、信号、命令等を授受し、印刷ジョブの実行に関する各駆動部の動作を制御する。又、駆動部以外の後述する各部（図２に示す）についても、ＣＰＵが、各プログラムを実行することで当該各部を実現する。ＲＯＭ、ＲＡＭ、ＨＤＤ等には、以下に説明する各部を実現するプログラムやデータが記憶されている。
【００１６】
次に、図２、図３を参照しながら、本発明の実施形態に係る構成及び実行手順について説明する。先ず、ユーザーが複合機１００の電源を投入すると、当該複合機１００の表示受付部２０１が操作部のタッチパネル上に操作画面を表示し、ユーザーからの指示を受け付ける。
【００１７】
ここで、ユーザーが、前記操作画面を見ながら、画像データの文字の置き換え指示に関する設定条件を入力し、複合機１００の原稿台又は自動原稿給送部に原稿を載置して、画像読取キーを選択する。すると、表示受付部２０１が、前記設定条件と前記画像読取キーの選択を受け付けて（図３：Ｓ１０１）、その旨を画像読取部２０２に通知する。当該通知を受けた画像読取部２０２は、前記原稿の画像データを読み取る（図３：Ｓ１０２）。
【００１８】
画像読取部２０２の読み取りが完了すると、その旨を文字認識部２０３に通知し、当該通知を受けた文字認識部２０３は、前記設定条件でＯＣＲ機能の実行が有るか否かを判定する（図３：Ｓ１０３）。
【００１９】
前記判定の結果、前記ＯＣＲ機能の実行がない場合（図３：Ｓ１０３ＮＯ）、文字認識部２０３は、その旨を画像読取部２０２に通知し、当該通知を受けた画像読取部２０２は、前記読み取った画像データをそのまま出力する（図３：Ｓ１０４）。
【００２０】
画像読取部２０２が出力する方法に特に限定は無く、例えば、画像読取部２０２が、前記画像データをタッチパネル上に表示したり、ユーザーにより指定された指定先に画像データを保存したりする。
【００２１】
一方、Ｓ１０３において、前記判定の結果、前記ＯＣＲ機能の実行が有る場合（図３：Ｓ１０３ＹＥＳ）、例えば、前記設定条件に、画像データの文字の置き換え指示が含まれている場合、文字認識部２０３は、前記画像データのうち、文字を構成する文字画像データに対して文字データを認識するＯＣＲ機能を実行する。
【００２２】
文字認識部２０３がＯＣＲ機能を実行する方法に特に限定は無い。例えば、文字認識部２０３が、前記画像データの中から、文字画像データを抽出し、当該抽出した文字画像データと、所定のメモリーに予め設けられた登録文字画像データと比較して、両者が一致するか否かを判定する（パターンマッチングする）。そして、文字認識部２０３は、前記一致した登録文字画像データに予め関連付けられた文字データ（文字コード、ｔｅｘｔデータ）を取得（認識）する（図３：Ｓ１０５）。これにより、画像データ中の文字画像データに対応する文字データを抽出する。
【００２３】
文字認識部２０３が文字データの認識を完了すると、更に、前記文字画像データを用いて、当該文字画像データの文字のフォントを認識しても良い（図３：Ｓ１０６）。例えば、文字認識部２０３は、前記文字画像データと、所定のメモリーに予め記憶された各フォント毎（例えば、「Ｃｅｎｔｕｒｙ」、「ＭＳ  明朝」等）のフォント文字画像データとを比較して、両者が一致するか否かを判定する（パターンマッチングする）。そして、文字認識部２０３は、前記一致したフォント文字画像データに予め関連付けられたフォント（例えば、「Ｃｅｎｔｕｒｙ」）を取得（認識）する。尚、文字認識部２０３が、１つの単語を構成する文字画像データの１つの文字画像データ毎にフォントを認識することで、前記文字画像データのうち、２つ以上の異なるフォントを認識した場合は、文字認識部２０３が、１つの文字画像データ毎に認識されたフォントのうち、一番多く認識されたフォントを、前記文字画像データのフォントと認識する。これにより、１つの単語を構成する文字画像データは、通常、１つのフォントの文字で構成されているから、フォントの誤認識を防止することが可能となる。
【００２４】
さて、文字認識部２０３が認識を全て完了すると、その旨を文字置換判定部２０４に通知し、当該通知を受けた文字置換判定部２０４は、前記画像データの文字画像データを、前記認識された文字データに置き換えるか否かを判定する（図３：Ｓ１０７）。ここで、文字置換判定部２０４が判定する方法に特に限定は無い。例えば、文字置換判定部２０４が、前記設定条件を参照し、文字の置き換え指示が有るか否かを判定する。
【００２５】
前記判定の結果、文字の置き換え指示が無い場合（図３：Ｓ１０７ＮＯ）、文字置換判定部２０４は、その旨を画像読取部２０２に通知し、当該通知を受けた画像読取部２０２は、前記読み取った画像データを、前記認識された文字データとともに出力する（図３：Ｓ１０４）。
【００２６】
一方、Ｓ１０７において、前記判定の結果、上述のように、文字の置き換え指示が有る場合（図３：Ｓ１０７ＹＥＳ）、文字置換判定部２０４は、その旨を網点領域検知部２０５に通知し、当該通知を受けた網点領域検知部２０５は、前記文字データに置き換えられる文字画像データの背景に網点領域が有るか否かを検知する（図３：Ｓ１０８）。
【００２７】
ここで、網点領域検知部２０５が検知する方法に特に限定は無い。例えば、網点領域検知部２０５が、図４に示すように、前記文字データに置き換えられる文字画像データ４００の背景４０１（文字画像データ４００を除く所定の範囲内の周辺４０１）の画素４０２の画素値が周期的に変化するか否かを検知する。前記文字画像データ４００の背景４０１の画素４０２の画素値が周期的に変化する場合に、網点領域検知部２０５が前記文字画像データ４００の背景４０１に網点領域４０３が有ると検知する。又、前記検知方法の他に、例えば、前記文字画像データ４００の背景４０１に、同一の画素値の画素４０２が周期的に連続するか否かを検知したり、ドットが周期的に存在するか否かを検知したりしても良い。
【００２８】
さて、前記検知の結果、前記文字画像データ４００の背景４０１に網点領域が無い場合（図３：Ｓ１０８ＮＯ）、網点領域検知部２０５は、その旨を文字置換部２０６に通知する。当該通知を受けた文字置換部２０６は、前記文字画像データを、前記認識された文字データにそのまま置き換える（図３：Ｓ１０９）。ここで、前記文字画像データの文字のフォントが認識されている場合は、文字置換部２０６は、前記認識されたフォントで前記文字データを生成し、当該生成した文字データに前記文字画像データを置き換える。この場合は、前記文字画像データ４００の背景４０１に網点領域が無いから、前記文字データの置換を実行しても、違和感の無い画像データとなる。
【００２９】
そして、文字置換部２０６が置換を完了すると、その旨を画像読取部２０２に通知し、当該通知を受けた画像読取部２０２は、前記文字画像データが文字データに置換された画像データを出力する（図３：Ｓ１０４）。これにより、文字データへの置換により視認性の高い画像データが出力される。
【００３０】
一方、前記文字画像データ４００の背景４０１に網点領域４０３が有る場合、図４に示すように、前記文字画像データ４００を、前記認識された文字データ４０４にそのまま置き換えると、前記文字画像データ４００と前記文字データ４０４との微妙な差分４０５が生じることがある。これは、前記文字データ４０４のサイズが、前記文字画像データ４００のサイズに厳密に一致しないからである。特に、前記文字画像データ４００の背景４０１に網点領域４０３が存在すると、前記置き換えられた文字データ４０４と背景４０１との境界（隙間）に、文字画像データ４００や網点領域４０３が残り、前記画像データ全体として違和感や視認性の低下を招く。更に、前記差分４０５のデータにより、前記画像データのファイルサイズが大きくなる。
【００３１】
そこで、Ｓ１０８において、前記検知の結果、前記文字画像データ４００の背景４０１に網点領域４０３が有る場合（図３：Ｓ１０８ＹＥＳ）、網点領域検知部２０５は、その旨を網点画像取得部２０７に通知する。当該通知を受けた網点画像取得部２０７は、前記網点領域４０３のうち、一方の方向のサイズが、当該網点領域４０３を構成する一つの網点画像データのサイズであり、前記一方の方向と垂直な他方の方向のサイズが、前記文字画像データ４００の他方の方向のサイズに対応するサイズである帯状網点画像データを取得する（図３：Ｓ１１０）。
【００３２】
網点画像取得部２０７が取得する方法に特に限定は無い。例えば、網点画像取得部２０７は、図４に示すように、前記網点領域４０３のうち、前記文字画像データ４００以外の領域で、且つ、一つの網点画像データ４０３ａが所定範囲で同等に分布している領域４０５を検索する。網点画像取得部２０７は、例えば、前記文字画像データ４００の四方隣接する領域の画素の画素値が周期的に変化するか否かを判定することで、前記領域４０５を検索する。次に、網点画像取得部２０７は、前記検索した領域４０５に含まれる線数（ここでは、網点の密度を意味する）を算出することで、前記領域４０５に含まれる一つの網点画像データ４０３ａを特定する。更に網点画像取得部２０７は、前記領域４０５から、一方の方向のサイズを、前記一つの網点画像データ４０３ａのサイズｔ１とし、前記一方の方向と垂直な他方の方向のサイズを、前記文字画像データ４００の他方の方向のサイズに対応するサイズｔ２とした帯状網点画像データ４０６を取得する。
【００３３】
ここで、一方の方向と、他方の方向の決定方法に特に限定は無いが、例えば、網点画像取得部２０７が、前記画像データの読み取り時における主走査方向を一方の方向とし、副走査方向を他方の方向とすると好ましい。これは、自動原稿給送部による原稿の画像データの読み取りでは、例えば、主走査方向の原稿の搬送速度のゆらぎよりも、副走査方向の原稿の搬送速度のゆらぎが大きいため、帯状網点画像データ４０６では、画像データのうち、主走査方向のデータのサイズを短く取り、副走査方向のデータのサイズを長く取った方が、帯状網点画像データ４０６の全体の網点画像データのバラつきやずれを少なくすることが出来る。そのため、出力される画像データの出来合いを良好にすることが出来る。
【００３４】
又、前記帯状網点画像データ４０６の他方の方向のサイズｔ２は、一つの網点画像データ４０３ａの他方の方向のサイズの倍数とされる。これにより、違和感のない画像データを出力できる。
【００３５】
尚、前記領域４０５が存在しない場合には、網点画像取得部２０７が、前記文字画像データ４００のうち、一つの網点画像データ４０３ａを検索し、当該検索した一つの網点画像データ４０３ａを用いて、帯状網点画像データ４０６を生成しても構わない。
【００３６】
さて、網点画像取得部２０７が取得を完了すると、その旨を網点画像置換部２０８に通知し、当該通知を受けた網点画像置換部２０８は、前記文字画像データ４００を含む領域で、且つ、一方の方向（主走査方向）のサイズが、前記一つの網点画像データ４０３ａの一方の方向のサイズｔ１の倍数である特定領域を、前記帯状網点画像データ４０６を一方の方向に前記倍数だけ直列させたデータに置き換える（図３：Ｓ１１１）。
【００３７】
ここで、網点画像置換部２０８が置き換える方法に特に限定は無い。例えば、網点画像置換部２０８が、図５に示すように、前記文字画像データ４００を含む領域のうち、一方の方向に沿って前記帯状網点画像データ４０６を直列に配置していき、当該配置により、前記文字画像データ４００が網点画像データ４０３ａで全て埋め尽くされた場合に、網点画像置換部２０８は、前記配置した帯状網点画像データ４０６の数（例えば、８個）を前記倍数とする特定領域５００を決定する。そして、網点画像置換部２０８は、前記特定領域５００を、前記帯状網点画像データ４０６を前記倍数だけ直列させて、前記特定領域５００を、前記倍数分の帯状網点画像データ４０６に置き換える。これにより、前記文字画像データ４００が存在した特定領域５００を網点画像データ４０３ａで置き換えることが可能となる。
【００３８】
さて、網点画像置換部２０８が置き換えを完了すると、その旨を文字置換部２０６に通知し、当該通知を受けた文字置換部２０６は、図５に示すように、前記置き換えられた帯状網点画像データ４０６の上に、前記認識された文字データ５０１を配置する（図３：Ｓ１０９）。
【００３９】
これにより、帯状網点画像データ４０６で修正した後に、文字データ５０１を配置するため、文字データ５０１のみが画像データに反映され、当該画像データ全体として違和感や視認性の低下を防止することが出来る。又、上述した差分４０５のデータが発生しないから、前記画像データのファイルサイズを小さくすることが出来る。又、読み取り後の画像データ（ラスター画像）を編集可能なドキュメントファイルの画像データに変換する場合に、上述したＯＣＲ機能の実行を経た画像データは、文字データ５０１周辺の画像劣化を抑えられるから、文字視認性を向上させることが出来る。更に、背景の網点画像データ４０３ａ化により、ファイルサイズの低減を可能とした変換処理を可能とする。
【００４０】
又、一方の方向を主走査方向とし、他方の方向を副走査方向として、前記帯状網点画像データ４０６を貼り直すことで、画像データの読み取り時に生じる副走査方向への画像データの歪みを加味して帯状網点画像データ４０６の貼り直しを可能とし、文字画像データ４００の周辺の画像劣化を更に抑えることが出来る。
【００４１】
ここで、前記文字画像データ４００の文字のフォントが認識されている場合は、文字置換部２０６は、上述と同様に、前記認識されたフォントで前記文字データ５０１を生成し、前記置き換えられた帯状網点画像データ４０６の上に、当該生成した文字データ５０１を配置する。これにより、フォントを加味した文字データの置き換えを可能とし、視認性を向上させる。
【００４２】
さて、文字置換部２０６が置換を完了すると、上述と同様に、画像読取部２０２は、前記文字データ５０１が配置された画像データを出力する（図３：Ｓ１０４）。
【００４３】
尚、本発明の実施形態では、複合機１００が各部を備えるよう構成したが、当該各部を実現するプログラムを記憶媒体に記憶させ、当該記憶媒体を提供するよう構成しても構わない。当該構成では、前記プログラムを複合機に読み出させ、当該複合機が前記各部を実現する。その場合、前記記録媒体から読み出されたプログラム自体が本発明の作用効果を奏する。さらに、各手段が実行するステップをハードディスクに記憶させる方法として提供することも可能である。
【産業上の利用可能性】
【００４４】
以上のように、本発明に係る画像処理装置及び画像処理方法は、複合機、複写機、スキャナー等の画像処理装置に有用であり、網点領域が存在する画像データの文字画像を文字に置き換える場合に視認性を改善することが可能な画像処理装置及び画像処理方法として有効である。
【符号の説明】
【００４５】
１００  複合機
２０１  表示受付部
２０２  画像読取部
２０３  文字認識部
２０４  文字置換判定部
２０５  網点領域検知部
２０６  文字置換部
２０７  網点画像取得部
２０８  網点画像置換部
【図１】
2016032249.tif 000003
【図２】
2016032249.tif 000004
【図３】
2016032249.tif 000005
【図４】
2016032249.tif 000006
【図５】
2016032249.tif 000007